(57)【要約】      （修正有）【課題】防眩、光漏れ防止かつ光漏れ均一化の効果を有し、グレアの発生を減少させ、視覚への干渉が低下し、視覚が疲れ易くなるという問題を解決する防眩レンズを提供する。【解決手段】本防眩レンズは、レンズ１０と枠体２０とを含み、レンズはレンズ部１１とレンズ部の周縁に結合された結合部１２とを有し、枠体はレンズに結合された側壁構造２１と該側壁構造に囲まれレンズ部を露出させる中空溝２２とを有し、かつ、側壁構造の壁面に少なくとも一つの防眩エリア２３が設けられ、側壁構造には結合部に対応して結合された対応結合部２６が配設されている。【選択図】図１
0003175202.tif 000002
【実用新案登録請求の範囲】
【請求項１】
レンズ部と、前記レンズ部の周縁に結合された結合部とを有するレンズと、
前記レンズに結合された側壁構造と、前記側壁構造に囲まれ前記レンズ部を露出させる中空溝とを有し、且つ、前記側壁構造の壁面に少なくとも一つの防眩エリアが設けられた枠体とを含み、
前記側壁構造には前記結合部に対応して結合された対応結合部が配設されていることを特徴とする防眩レンズ。
【請求項２】
前記枠体の側壁構造は、互いに取り組まれた側壁内面と側壁外面とを有し、前記側壁構造の形状が序次収束状、傾斜状、垂直状及び弯曲状のうち何れかの一方となり、前記防眩エリアが、前記側壁内面のみ、前記側壁外面のみ、及び前記側壁内面と前記側壁外面の両面のうち何れかの一方に設けられ、前記側壁内面は、傾斜状、垂直状、アーク状、凸弧状、及び凹弧状のうち何れかの一方であり、前記側壁外面は、傾斜状、垂直状、アーク状、凸弧状、及び凹弧状のうち何れかの一方であることを特徴とする請求項１に記載の防眩レンズ。
【請求項３】
前記枠体にはさらに延在部が結合され、前記延在部が、水平延在構造、垂直延在構造、傾斜延在構造、及び弯曲延在構造のうち何れかの一方であり、前記延在部の壁面には、さらに少なくとも一つの第２の防眩エリアが設けられ、前記第２の防眩エリアが前記延在部の一方の壁面及び両方の壁面のうち何れかの一方に設けられていることを特徴とする請求項１または２に記載の防眩レンズ。
【請求項４】
前記防眩エリアと前記第２の防眩エリアは、局部霧化領域、全部霧化領域、局部塗布領域及び全部塗布領域のうち何れかの一方であることを特徴とする請求項３に記載の防眩レンズ。
【請求項５】
前記対応結合部と前記結合部との間は、可動結合及び固定結合のうち何れかの一方であり、前記レンズ部は、凸レンズ、平凸レンズ、及びフレネルレンズのうち何れかの一方であることを特徴とする請求項１に記載の防眩レンズ。
【考案の詳細な説明】
【技術分野】
【０００１】
本考案は、防眩レンズに関し、特に、照明ランプに装着され、グレアの発生を減少させ、視覚への干渉が低下し、視覚が疲れ易い問題を解決するための防眩レンズに関する。
【背景技術】
【０００２】
従来の照明ランプでは、主に、発光源構造（例えば、電球や、ランプパネルまたは発光ダイオードを含む構造）と凸レンズセットとで照明を提供する要素として構成され、凸レンズの一方の面は凸レンズ面で、凸レンズの発光源構造に向かう対向面は平面であることによって、発光源構造の光線を集中して出射され、また、発光源構造が長時間で照明することにより生じた熱を外部に伝導して放出させるため、発光源構造と凸レンズとがともに金属材料で製造された放熱構造内に設けられた。
【０００３】
しかしながら、発光源構造の光線は、直接的に出射された光線を除き、光の一部が凸レンズ面の周縁を介して出射され、続いて放熱構造の金属表面に２次反射となり、すなわち、目刺しのグレアが発生し易くなり、視覚が干渉され、さらに、不快適感を生じ、視覚疲労になり易い。
【考案の概要】
【考案が解決しようとする課題】
【０００４】
これを鑑みて、本考案の創作者は、研究や設計、組み立てに専念し、防眩、光漏れ防止且つ光漏れ均一化の効果を有する防眩レンズを提供して、グレアの発生を減少させ、視覚への干渉が低下し、視覚が疲れ易くなるという問題を解決せんとするものである。これが本考案創作の動機である。
【０００５】
本考案は、グレアの発生を減少させ、視覚への干渉が低下し、視覚が疲れ易くなるという問題を解決するよう、防眩、光漏れ防止且つ光漏れ均一化の効果を有する防眩レンズを提供することを主な目的とする。
【課題を解決するための手段】
【０００６】
前記目的を達成するため、本考案による防眩レンズは、レンズ部と前記レンズ部の周縁に結合された結合部とを有するレンズと、前記レンズに結合された側壁構造と前記側壁構造に囲まれ前記レンズ部を露出させる中空溝とを有し、且つ、前記側壁構造の壁面に少なくとも一つの防眩エリアが設けられた枠体とを含み、前記側壁構造には前記結合部に対応して結合された対応結合部が配設されることによって、防眩、光漏れ防止且つ光漏れ均一化の効果を有し、グレアの発生を減少させ、視覚への干渉が低下し、視覚が疲れ易くなるという問題を解決することができる。
【図面の簡単な説明】
【０００７】
【図１】本考案による防眩レンズの全体断面図である。
【図２】図１の側壁構造の側壁内面を傾斜状とする状態を示す図である。
【図３】本考案による防眩レンズの側壁構造を傾斜状とする状態を示す全体断面図である。
【図４】本考案による防眩レンズの側壁構造を凸弧状とし、且つ、増設された延在部が水平延在構造を用いる状態を示す全体断面図である。
【図５】本考案による延在部が傾斜延在構造を用いる状態を示す全体断面図である。
【図６】図５の延在部が垂直延在構造を用いる状態を示す全体断面図である。
【図７】図６の側壁構造を凹弧状とし、且つ、延在部が弯曲延在構造を用いる状態を示す全体断面図である。
【図８】図７の側壁構造を垂直状とする状態を示す全体断面図である。
【図９】本考案によるレンズと枠体とが一体に製造された状態を示す斜視図である。
【図１０】図９の全体断面図である。
【考案を実施するための形態】
【０００８】
本考案の特徴、特点及び技術内容のさらなる深い理解は、以下の本考案に係る詳細説明及び添付図面を参照すれば得られるが、前記添付図面は参考、説明としてのみ提供され、本考案を局限するものではない。
【実施例】
【０００９】
図１〜図１０に示すように、本考案による防眩レンズは、レンズ１０と枠体２０とを含み、レンズ１０は、レンズ部１１と、レンズ部１１の周縁に結合された結合部１２とを有し、枠体２０は、レンズ１０に結合された側壁構造２１と、側壁構造２１に囲まれレンズ部１１を露出させる中空溝２２とを有し、且つ、側壁構造２２の壁面に少なくとも一つの防眩エリア２３が設けられ、側壁構造２１には結合部１２に対応して結合された対応結合部２６が配設されている。
【００１０】
よって、光が本考案のレンズ部１１を透過した後に、レンズ部１１の周縁で屈折された光の一部が側壁構造２２の防眩エリア２３に均一化され、該光線が２次屈折した後にグレアを生じることが低下され、グレアによる視覚への干渉が低下し、視覚が疲れ易くなるのを避けられる。
【００１１】
本実施例では、側壁構造２１は、互いに取り組まれた側壁内面２１１と側壁外面２１２とを有し、側壁内面２１１は、傾斜状（図２、図３、図５、図６、図１０などに示された側壁内面２１１）、垂直状（図８に示すように）、アーク状、凸弧状（図４に示すように）または凹弧状（図１、図７などに示された側壁内面２１１）の何れかとし、側壁外面２１２は、傾斜状（図３、図５、図６、図１０などに示された側壁外面２１２）、垂直状（図１、図２、図８などに示された側壁外面２１２）、アーク状、凸弧状（図４に示すように）または凹弧状（図７に示すように）の何れかとし、同一または異なる形状の側壁内面２１１と側壁外面２１２とがそれぞれ取り組まれることによって、側壁構造２１の実施態様が増加され、側壁構造２１の形状が序次収束状（図１、図２などに示された側壁構造２１）、傾斜状（図３、図５、図６、図１０などに示された側壁構造２１）、垂直状（図８に示すように）、アーク状（図４、図７などに示された側壁構造２１）、または弯曲状となっている。また、防眩エリア２３の設置位置が、実際の要求に応じて側壁内面２１１のみ（図１〜図４などに示された防眩エリア２３）、或いは側壁外面２１２のみに設けられていることで、製造工程を減少し、もしくは、側壁内面２１１と側壁外面２１２の両面に防眩エリア２３が設けられ（図５〜図８、図１０などに示された防眩エリア２３）、光をダブル均一化して屈折させる効果となり、グレア及び光漏れの発生を低下させる。
【００１２】
図４〜図１０を参照すると、枠体２０にはさらに延在部２４が結合され、部材と組み立て易くなり（例えば、カバー、ランプパネルと係止して結合され）、また、延在部２４が側壁構造２１の端部から延出され（図４に示すように、側壁構造２１の上端部から延在され）、側壁構造２１の所定部位（図１０に示すように、側壁構造２１の１／３の箇所から延出され）から延出しても良い。延在部２４は、水平延在構造（図４に示すように）、垂直延在構造（図６、図１０などに示された延在部２４）、傾斜延在構造（図５に示すように）、または弯曲延在構造（図７、図８などに示された延在部２４）の何れかを用いることで、枠体２０の組立方式を増加し、異なる部材のサイズ及びタイプに組み立て易くなり、使用上の利便性が向上する。また、上記の部材は、市販の電球や、ランプパネル、発光ダイオードを含む構造またはカバーなどの構造である。
【００１３】
また、図７〜図１０を参照すると、延在部２４の壁面にはさらに少なくとも一つの第２の防眩エリア２５が設けられ、第２の防眩エリア２５が延在部２４の一方の壁面に設けられ（図７、図８などに示された第２の防眩エリア２５）、延在部２４の両方の壁面に設けてもよい（図１０に示すように）、防眩エリア２３と第２の防眩エリア２５の設置により、光を分層に均一化して屈折させ、防眩及び光漏れ防止の効果を向上させるとともに、美観効果を備える。
【００１４】
側壁構造２１の形状に合わせるため、防眩エリア２３と第２の防眩エリア２５の実施態様について、側壁構造２１の壁面に局部霧化領域、全部霧化領域、局部塗布領域または全部塗布領域などの技術手段を用い、上記塗布領域は、光吸収効果のある深い色の塗料（例えば、ブラック）である。
【００１５】
また、本考案によるレンズ１０と枠体２０とがそれぞれ別に製造されてもよいし、一体に製造しても良い。枠体２０の対応結合部２６とレンズ１０の結合部１２との間を可動結合する場合に、レンズ１０と枠体２０とをそれぞれ別に製造し、さらに高周波熱処理技術または接着剤で一体に結合させ、防眩エリア２３は、実際の結合形態に応じてレンズ１０の結合部１２（図６に示すように、防眩エリア２３を側壁外面２１２から下方の結合部１２の外縁までに連結し）に設けることで、光漏れ防止の効果を向上し、対応結合部２６と結合部１２との間を固定結合する場合に（図１０に示すように）、レンズ１０と枠体２０とを一体に製造すればよい。また、レンズ部１１は、凸レンズ、平凸レンズ、フレネル（Fresnel）レンズまたは他の同等な効果を有するレンズである。
【００１６】
よって、本考案による防眩レンズは、レンズ１０と枠体２０との組合設計により、防眩、光漏れ防止且つ光漏れ均一化の効果を有し、グレアの発生を減少させ、視覚への干渉が低下し、視覚が疲れ易くなるという問題を解決することができる。
【００１７】
以上の説明は、単に本考案の好ましい実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【符号の説明】
【００１８】
１０：レンズ
１１：レンズ部
１２：結合部
２０：枠体
２１：側壁構造
２２：中空溝
２３：防眩エリア
２４：延在部
２５：第２の防眩エリア
２６：対応結合部
２１１：側壁内面
２１２：側壁外面
【図１】
0003175202.tif 000003
【図２】
0003175202.tif 000004
【図３】
0003175202.tif 000005
【図４】
0003175202.tif 000006
【図５】
0003175202.tif 000007
【図６】
0003175202.tif 000008
【図７】
0003175202.tif 000009
【図８】
0003175202.tif 000010
【図９】
0003175202.tif 000011
【図１０】
0003175202.tif 000012